(57)【特許請求の範囲】
【請求項１】
丈は長く形成され前開きとなっている左右の前身頃の裾部の内側にレッグカバーを装着したライディング用コートであって、前記レッグカバーは所定の大きさを有するシートから構成され、このシートの一方の側部は前記裾部の内側端部に縫着されると共に、他方の側部は裾部の内側に取り付けられた固定部に着脱自在に形成され、使用時にはその固定部からシートを外してズボンの脚部に巻き付け、前記他方の側部を固定部に再度固定することで脚部を筒状に被覆し、且つ後ろ身頃の裾部の内側下端部に係止片を設け、前身頃の前開き部の内側要所に前記係止片を着脱自在に係止する係止部を設け、モーターバイク等に乗る際に、後ろ身頃の裾部を手前側に引き出し、上向きに反転させて前記係止片を係止部に係止することでズボンの股部を被覆することを特徴とするライディング用コート。
【発明の詳細な説明】
【０００１】
【発明の属する技術分野】
本発明は、モーターバイク等に乗る時に着用するライディング用コートに関する。
【０００２】
【従来の技術】
一般に、サラリーマン等がモーターバイクに乗って通勤する際、ブルゾン又はコート状のライディングウエアを着用している。このライディングウエアは、スーツの上から着込むが、背広の裾が下からはみ出すことがあって汚れ易く、袖口がしわになり易い等の不都合がある。又、ズボンの脚部が外部に露出しているため、冬は冷たい風をまともに受けて冷え易い。更に、雨天時にはズボンの脚部や股部が濡れて汚れてしまう。このような不具合を防止するために、冬季の使用に適したライディング用ロングコートや、雨天時に使用するレインパンツ等が知られている。
【０００３】
【発明が解決しようとする課題】
しかしながら、従来のライディング用ロングコートによると、ほぼ全身をすっぽり覆うため寒さよけには適しているが、モーターバイク等に乗ると前身頃の裾部が左右に開いた状態となり、ズボンの脚部及び股部が外部に露出する。このため、吹き付ける風を充分防ぐことができなくなり防寒性能が低下する。又、降雨時にはズボンの脚部や股部が濡れてしまう問題がある。更に、左右に開いた裾部が、風防部分からの巻き込み風を受けてパタパタ動いたり、或は捲くれ上がって視界を遮ったりして運転上危険である。
一方、従来のレインパンツによると、下半身を雨濡れから保護できるが、靴を履いたままでは着脱がし難く、又最寄の駅まで行って電車に乗り換えるような場合にはレインバンツを脱いだ後の保管場所に頭を悩ます等の問題がある。
【０００４】
本発明は、このような従来の問題を解決するためになされ、防寒・防水・防汚性に優れ、裾部の揺動及び捲くれ上がりを防止し、着脱が容易であり、保管場所も不要にしたライディング用コートを提供することを目的とする。
【０００５】
【課題を解決するための手段】
この目的を達成するための具体的手段として、本発明は、丈は長く形成され前開きとなっている左右の前身頃の裾部の内側にレッグカバーを装着したライディング用コートであって、前記レッグカバーは所定の大きさを有するシートから構成され、このシートの一方の側部は前記裾部の内側端部に縫着されると共に、他方の側部は裾部の内側に取り付けられた固定部に着脱自在に形成され、使用時にはその固定部からシートを外してズボンの脚部に巻き付け、前記他方の側部を固定部に再度固定することで脚部を筒状に被覆し、且つ後ろ身頃の裾部の内側下端部に係止片を設け、前身頃の前開き部の内側要所に前記係止片を着脱自在に係止する係止部を設け、モーターバイク等に乗る際に、後ろ身頃の裾部を手前側に引き出し、上向きに反転させて前記係止片を係止部に係止することでズボンの股部を被覆することを特徴とするライディング用コートを要旨とするものである。
【０００６】
このように構成されたライディング用コートは、モーターバイク等の乗車時に前記レッグカバーによりズボンの脚部を筒状に覆うことができ、且つ後ろ身頃の裾部でズボンの股部も被覆することができる。従って、ズボンの脚部や股部が外部に露出しないことから、走行時に風を受けても寒くなく、雨が降っても濡れず、汚れが防止でき、前身頃の裾部の動きや捲くれ上がりも防止することができる。
又、レッグカバーの着脱は靴を履いたままの状態で簡単にでき、降車後にレッグカバーを裾部内側の固定部に固定すればそのまま保管でき、外部から見えないので体裁も良い。後ろ身頃の裾部は、前記係止片を係止部から外せば直ちに元の状態に復帰する。
【０００７】
【発明の実施の形態】
次に、本発明に係るライディング用コートの実施形態を添付図面に基づいて説明する。図１はコート本体１を正面から見た状態であり、丈は長く形成され前開きとなっている左右の前身頃２の裾部内側にはレッグカバー３がそれぞれ装着されている。
【０００８】
このレッグカバー３は、所定の大きさを有する略台形のシート（布又は化繊等）で構成され、長い方の側部が前身頃２の裾部の内側端部つまり前開きの内側端部に縫着３ａされると共に、短い方の側部は前身頃２の裾部の内側に取り付けられた固定部４に着脱自在に形成されている。この場合、固定部４は一側が裾部の内側に取り付けられた留めバンドから構成され、この留めバンドとレッグカバー３との着脱はスナップ４ａにより行う。このスナップ４ａの他に、ホック又はボタン、面ファスナ等でも良い。
【０００９】
コート本体１の後ろ身頃５には、裾部の内側下端部の中央に係止片６が設けられ、この係止片６と着脱自在の係止部７が前身頃２の前開き部の内側要所に設けられている。この場合、係止片６と係止部７とはスナップで構成されているが、その他ホックや面ファスナ等により構成することも可能である。
【００１０】
コート本体１の左右の前身頃２の開閉は、前開き部に取り付けられたファスナ８及び複数のスナップ９により行い、胴部周りにはゴム紐によるウエスト絞り１０が形成されている。又、襟１１の前端部と袖口１２には開口をすぼめるための面ファスナ１３、１４がそれぞれ取り付けられている。
【００１１】
図２はモーターバイク等に乗る時の状態を示すもので、コート本体１を着込んだライダーは、前記レッグカバー３を固定部４から外し、ズボンの脚部に筒状に巻き付けると共に固定部４に再度固定することでズボンの脚部をそれぞれ被覆する。この際、靴を脱ぐ必要がないので面倒ではなく、直ちにズボンの脚部を被覆することができる。
ズボンの裾部がレッグカバー３より露出するが、コート本体１の丈をもっと長く形成してレッグカバー３の高さを増大させれば、裾部も被覆することが可能となる。但し、足元まで長いコートは体裁が悪いので裾部が少々出るくらいは許容するものとする。このように両側のレッグカバー３でズボンの脚部をそれぞれ被覆しても、歩行には何ら支障が生じない。
【００１２】
又、ズボンの股部の下から手を差し入れて図３のように後ろ身頃５の裾下端部を前方に引き出し、上向きに反転させて前記係止片６を係止部７に係止すればズボンの股部を被覆することができる（図４）。
【００１３】
このような状態でモーターバイク１５を運転すれば、風を受けてもズボンの脚部及び股部が被覆されているため寒くなく、前身頃２の裾部がレッグカバー３により固定されていることから、風防部分からの巻き込み風を受けても裾部がパタパタ動いたり、或は捲くれ上がって視界を遮ったりすることはない。従って、防寒性能を向上させると共に運転上の安全性が確保できる。
【００１４】
雨が降ってきても、前記のようにズボンの脚部及び股部は被覆されているため濡れることはなく、ズボンの汚れも防止することができる。コート本体１に防水・撥水加工を施し、且つレッグカバー３も防水・撥水シートで形成すれば降雨時の対策が万全となる。つまり、レインコート代わり及びレインパンツ代わりとなるのである。
【００１５】
降車後は、後ろ身頃５の係止片６を係止部７から外せばズボンの股部の被覆が解除され、レッグカバー３を固定部４から外せば脚部の被覆が解除され、この解除後に固定部４に再度固定すればレッグカバー３を元の状態、即ち前身頃２の裾部の内側に収めることができる。
【００１６】
コート本体１は、外観が通常のコートと類似しているため、降車後もそのまま着用していても体裁が悪いことはない。従って、サラリーマン等は降車後にコート本体１のままビルに入って行くことができ、最寄の駅にモータバイクを駐車した後に、そのままの格好で電車に乗り換えることもできる。従来のレインパンツ等のように使用後の保管場所に頭を悩ます必要はない。
【００１７】
【発明の効果】
以上説明したように、本発明に係るライディング用コートは、前身頃の裾部の内側にレッグカバーを備えており、モーターバイク等に乗る際にそのレッグカバーでズボンの脚部を被覆することができ、且つ後ろ身頃の裾部によりズボンの股部を被覆することができる。従って、防寒・防水・防汚性に優れており、風防部分から強い巻き込み風を受けても、前身頃の裾部が動いたり捲くれ上がったりして視界を遮ることもないため安全性も確保することができる。
又、レッグカバーの着脱は容易であると共に、靴を履いたまま着脱できるので便利であり、保管場所が不要であり、通常は外部から見えないため体裁が良い。更に、コート本体は通常のコートと外観が類似するため、モーターバイク等から降りた後もそのまま着用することが可能であり、降車後に着替えの必要がなく、特にサラリーマン等のバイク通勤又は電車への乗り換え等にとってきわめて有効である。
【図面の簡単な説明】
【図１】本発明に係るライディング用コートの実施形態を示す正面図
【図２】モーターバイク等に乗る際に、レッグカバーでズボンの脚部を被覆した状態を示す説明図
【図３】後ろ身頃の裾部でズボンの股部を被覆する要領を示す説明図
【図４】ライディング用コートの使用状態を示す説明図
【符号の説明】
１…コート本体
２…前身頃
３…レッグカバー
４…固定部
５…後ろ身頃
６…取付部
７…被取付部
８…ファスナ
９…スナップ
１０…ウエスト絞り
１１…襟
１２…袖口
１３、１４…面ファスナ
１５…モーターバイク
【図１】
0004181722.tif 000002
【図２】
0004181722.tif 000003
【図３】
0004181722.tif 000004
【図４】
0004181722.tif 000005